(57)【要約】【課題】グリッドワイヤを用いたスコロトロン方式の帯電装置において、グリッドワイヤをシールドケースに所定の張力で容易に張架できるようにする。【解決手段】シールドケース１の側壁１０ａ，１０ｂの略中間部をそれぞれ外方へ押し広げる。次に、ピン１３，１３，・・・にグリッドワイヤ３を交互に掛け渡して、シールドケース１の上面開口１１にグリッドワイヤ３を張り渡す。その後側壁１０ａ，１０ｂを元の状態に戻し、シールドケース１の上面開口１１に掛け渡されたグリッドワイヤ３に張力を加える。【選択図】図４
2007148050.tif 000002
【特許請求の範囲】
【請求項１】
上面開口の細長い略直方体状のシールドケースの両端部に形成された複数のワイヤ掛け部に、前記上面開口を跨ぐようにグリッドワイヤを折り返し張架する方法であって、
前記シールドケースの長手側の側壁の略中間部をそれぞれ外方へ押し広げた後、前記ワイヤ掛け部にグリッドワイヤを交互に掛け渡して、シールドケースの上面開口にグリッドワイヤを張り渡し、その後前記長手側の側壁を元の状態に戻し、シールドケースの上面開口に掛け渡されたグリッドワイヤにさらに張力を加えることを特徴とするシールドケースへのグリッドワイヤの取付方法。
【請求項２】
側壁の押し広げ後の幅を、押し広げる前の幅の１．１〜１．５倍の範囲とした請求項１記載のグリッドワイヤの取付方法。
【発明の詳細な説明】
【技術分野】
【０００１】
本発明はいわゆるスコロトロン方式の帯電装置におけるグリッドワイヤの取付方法に関するものである。
【背景技術】
【０００２】
複写機やプリンタ、ファクシミリなどの画像形成装置において、感光体表面を一様に帯電させる装置として、放電ワイヤに高電圧を印加してコロナ放電を生じさせるものがこれまでから広く用いられている。さらにはコロナ放電分布を一層均一にするために、グリッドを備えたスコロトロン方式の帯電装置が多く用いられている。
【０００３】
図７及び図８に、スコロトロン方式の帯電装置の一例を示す。図７に示す帯電装置は、シールドケース１とチャージャケース２を備え、シールドケース１をチャージャケース２に係合してなる。帯電装置の内部には不図示の放電ワイヤが長手方向に張架されている。一方、シールドケース１は、上面開口１１を有する細長い略直方体状をしてなり、その両端部には一対のグリッドホルダ１２ａ，１２ｂを備えている。一対のグリッドホルダ１２ａ，１２ｂにはそれぞれ複数のピン（ワイヤ掛け部）１３，１３，・・・が形成され、これら複数のピン１３，１３，・・・によって、一本のグリッドワイヤ３がシールドケース１の上面開口１１を跨ぐように折り返し張架されている。
【０００４】
このグリッドワイヤ３をシールドケース１の上面開口１１に張り渡すには、まずグリッドワイヤ３の始端を、一方のグリッドホルダ１２ｂの最端ピンの一つに巻き付け固定する。つぎに、シールドケース１の両端部グリッドホルダ１２ａ，１２ｂのピン１３，１３，・・・にグリッドワイヤ３を交互に引っ掛けて、シールドケース１の上面開口１１に複数本のグリッドワイヤ３を跨ぐように張架する。そして図８に示すように、グリッドワイヤ３の終端をネジ４に巻き付け、グリッドホルダ１２ａに形成されたネジ穴１４にネジ４を螺入してグリッドワイヤ３の端部を固定していた。
【０００５】
ところが、グリッドワイヤ３は張力をかけた状態で固定する必要があるため、グリッドワイヤ３を引っ張りながら固定用のネジ４を締めるといった熟練が必要な作業を要していた。
【０００６】
そこで例えば特許文献１では、グリッドワイヤを係止したグリッドアンカーを回動させることによってグリッドテンションを調整することが提案されている。
【特許文献１】特開平５−１５０６１６号公報
【特許文献２】特開２００３−１４０４３８号公報
【発明の開示】
【発明が解決しようとする課題】
【０００７】
しかしながら提案されたグリッドテンションの調整方法では、部品点数が多くなり又組立作業が煩雑となる。
【０００８】
本発明はこのような従来の問題に鑑みてなされたものであり、その目的とするところは、グリッドワイヤをシールドケースに所定の張力で容易に張架できる方法を提供することにある。
【課題を解決するための手段】
【０００９】
本発明によれば、上面開口の細長い略直方体状のシールドケースの両端部に形成された複数のワイヤ掛け部に、前記上面開口を跨ぐようにグリッドワイヤを折り返し張架する方法であって、前記シールドケースの長手側の側壁の略中間部をそれぞれ外方へ押し広げた後、前記ワイヤ掛け部にグリッドワイヤを交互に掛け渡して、シールドケースの上面開口にグリッドワイヤを張り渡し、その後前記長手側の側壁を元の状態に戻し、シールドケースの上面開口に掛け渡されたグリッドワイヤにさらに張力を加えることを特徴とするシールドケースへのグリッドワイヤの取付方法が提供される。
【００１０】
ここで、シールドケースを押し広げる作業性とグリッドワイヤにかける張力とのバランスなどの観点から、シールドケースの側壁の押し広げ後の幅を、押し広げる前の幅の１．１〜１．５倍の範囲とするのが好ましい。
【発明の効果】
【００１１】
本発明の取付方法では、シールドケースの長手側の側壁の略中間部をそれぞれ外方へ押し広げた後、ワイヤ掛け部にグリッドワイヤを交互に掛け渡して、シールドケースの上面開口にグリッドワイヤを張り渡し、その後長手側の側壁を元の状態に戻し、シールドケースの上面開口に掛け渡されたグリッドワイヤに張力を加える、すなわち本発明の取付方法では、シールドケースの側壁の弾性によってグリッドワイヤに張力を加えるので、従来と異なって部品点数を増やすことなく、グリッドワイヤに所定張力をかけられる。これによりグリッドワイヤの取り付け作業性が従来に比べて格段に向上する。
【００１２】
また、シールドケースの側壁の押し広げ後の幅を、押し広げる前の幅の１．１〜１．５倍の範囲にすると、シールドケースを押し広げる作業を困難にすることなくグリッドワイヤに所望の張力がかけられる。
【発明を実施するための最良の形態】
【００１３】
以下、本発明に係るグリッドワイヤの取付方法について図に基づいて説明する。なお本発明はこれらの実施形態に何ら限定されるものではない。
【００１４】
図１に、まずスコロトロン方式の帯電装置を用いた画像形成装置の概説図を示す。この図の画像形成装置は、いわゆる胴内排紙型画像形成装置である。装置本体Ｍの上下方向略中央部には、正面側が開口した排紙空間６が形成されている。この排紙空間６の底面には、排出される用紙を載置するためのトレイ８７が筺体と一体成形されている。一方、排紙空間６の上側には、原稿を読み取るための読取機構９１が内蔵され、排紙空間６の下側には、画像形成機構が内蔵されている。
【００１５】
画像形成機構について説明すると、感光体ドラム７０は帯電装置Ｃによってその表面が正又は負に一様に帯電される。後述するように帯電装置Ｃでは、放電ワイヤに高電圧を印加してコロナ放電を発生させ、感光体ドラム７０表面を帯電させると同時に、グリッドワイヤに所定電圧を印加することによって感光体ドラム７０表面の帯電ムラを抑えている。
【００１６】
他方、原稿載置台９０に原稿（不図示）が載置され、その画像データが読取装置９１によって読みとられる。読み取られた画像データはレーザスキャナ（露光装置）７２によって感光体ドラム７０の表面に書き込まれ、感光体ドラム７０の表面に静電潜像が形成される。具体的には反転現像方式の場合には画像に相当する部分の帯電が除去され、正規現像方式の場合は背景に相当する部分の帯電が除去されて、それぞれ静電潜像が形成される。次に現像装置７３によって感光体ドラム７０上の静電潜像をトナーで可視像化する。このときトナーの帯電極性は、反転現像方式の場合には感光体ドラム７０の帯電極性と同極性であり、正規現像の場合は感光体ドラム７０の帯電極性と逆極性である。
【００１７】
一方、給紙カセット８１に収納されている用紙Ｐは、ピックアップローラ８２により引き出され、給紙ローラ８３とさばきローラ８４とで挟持されて搬送路へ送られる。そしてレジストローラ対８０によって、感光体ドラム７０上のトナー画像が転写部に到達するのにタイミングを合わせて、用紙Ｐは転写部へ送り出される。転写部では、感光体ドラム７０と転写ローラ７４との間で用紙Ｐが挟持されている状態で、トナー帯電極性と逆極性の電荷が転写ローラ７４に印加されることにより、感光体ドラム７０上のトナー像が用紙Ｐ上に移動する。用紙Ｐ上に移動せず感光体ドラム７０上に残留したトナーはクリーニングローラ７５によって除去回収される。一方、トナー像を載置した用紙Ｐは定着ローラ対８５へ搬送される。ここでトナー像は定着ローラ対８５によって加熱・加圧されて用紙Ｐに定着する。そして用紙Ｐは排出ローラ対８６に送られ、トレイ８７へ排出される。
【００１８】
図２に、図１の画像形成装置で用いられている帯電装置Ｃの斜視図を示す。この帯電装置Ｃは、シールドケース１とチャージャケース２を備え、シールドケース１をチャージャケース２に係合してなる。チャージャケース２には放電ワイヤ２１が長手方向に張架されている。そして、内底面上には棒状部材２３１の外周に螺旋に翼部２３２が形成されたスクリュ２３が回動可能に取り付けられており、放電ワイヤ２１及びグリッドワイヤ３を清掃する清掃部材２２がこのスクリュ２３の翼部２３２に螺接されている。不図示のモータによってスクリュ２３が回動することによって清掃部材２２が長手方向に移動し、放電ワイヤ２１及びグリッドワイヤ３にそれぞれ接触しているフェルトなどからなる清掃具２２１によって、放電ワイヤ２１及びグリッドワイヤ３が清掃される。
【００１９】
一方、シールドケース１は、ステンレス鋼などの導電性の材料を細長い略直方体状に成形してなり、その両端部には一対のグリッドホルダ１２ａ，１２ｂを備えている。グリッドホルダ１２ａ，１２ｂにはそれぞれ複数のピン（ワイヤ掛け部）１３，１３，・・・が形成され、一方のグリッドホルダ１２ａにはさらに、グリッドワイヤ３の終端を固定するためのネジ４が螺合するネジ穴１４が形成されている。そしてこのグリッドホルダ１２ａの、シールドケース１の上面開口１１とネジ穴１４との間の側部には突起１５が形成されている。この部分の拡大斜視図を図３に示す。
【００２０】
図３に示すように突起１５は、グリッドホルダ１２ａの側部に形成された切欠部１６から外方へ突出するように形成され、その裏面側には切欠部１６の側面に沿って溝部１７が形成されている（図６を参照）。なお、この突起１５はグリッドホルダ１２ａと一体成形されている。
【００２１】
図４に、このような構造のシールドケース１にグリッドワイヤ３を張り渡す工程図を示す。まずシールドケース１の対向する側壁１０ａ，１０ｂの略中間部をそれぞれ外方へ押し広げる（同図（ｂ））。側壁１０ａ，１０ｂを外方へ押し広げる手段としては特に限定はないが、例えば図５に示すような治具５を用いてもよい。図５に示す治具５は、基台５１と、その上に形成されたシールドケース１の側壁間に押し入る押入部５２とを備える。基台５１と押入部５２とは一体成形したものであってもよいし、別体で成形後接合したものであってもよい。押入部５２の垂直断面は台形状であって、台形の上辺の長さは、押し広げる前の側壁間距離Ｗ1以下とされ、台形の高さは側壁の高さ以下とされている。また、台形の下辺の長さは側壁を押し広げた後の側壁間距離Ｗ2となる（図４（ｂ）参照）。
【００２２】
この治具５によってシールドケース１の側壁１０ａ，１０ｂを押し広げるときは、シールドケース１の下面開口から治具５を差し入れ、シールドケース１の側壁下端が治具５の基台５１上面に当接するまで押し込む。すると、図５（ｂ）に示すように、シールドケース１の側壁１０ａ，１０ｂが治具５によって外側に押し広げられる。押し広げられた側壁間距離は押入部５２の下辺の長さＷ2となる（図４（ｂ）参照）。押し広げ距離の調整は治具５の押入部５２の下辺長さを調整することによって行える。側壁押し広げ幅はＷ2／Ｗ1が１．１〜１．５の範囲が好ましい。Ｗ2／Ｗ1が１．１未満であると、グリッドワイヤ３に十分な張力がかからない。一方Ｗ2／Ｗ1が１．５を超えると、両側壁を押し広げる作業労力が大きくなるからである。
【００２３】
図４（ｃ）に示すように、両側壁が押し広げられたシールドケース１にグリッドワイヤ３を張り渡す。具体的には、一対のグリッドホルダ１２ａ，１２ｂに形成された複数のピン１３，１３，・・・によって、シールドケース１の上面開口１１にグリッドワイヤ３を折り返し張ってゆく。そしてグリッドワイヤ３の終端は、グリッドホルダ１２ａに形成された突起１５に約１周巻き付けた後、ネジ４に巻きつけ、グリッドホルダ１２ａに形成されたネジ穴１４にネジ４を螺入することによって、ネジ４の頭とグリッドホルダ１２ａの間でグリッドワイヤ３を挟み固定する。
【００２４】
図６に示すように、グリッドワイヤ３を突起１５に巻きつけると、グリッドワイヤ３と突起１５の間及びグリッドワイヤ３同士の摩擦抵抗によってグリッドワイヤ３にかかっている張力が保持される。これにより、ネジ４による固定の際にグリッドワイヤ３を強い力で引っ張っていなくてもグリッドワイヤ３に弛みは生じず、容易にネジ固定できるようになる。
【００２５】
グリッドワイヤ３の突起１５への巻き付け数に特に限定はない。グリッドワイヤ３の巻き付け数を増やせば、それだけ摩擦抵抗が大きくなりグリッドワイヤ３にかかっている張力が保持されやすくなるが、通常は１周巻きつけるだけで十分である。
【００２６】
グリッドホルダ１２ａに形成する突起１５としてはグリッドワイヤ３を巻きつけられる形状であれば特に限定はないが、振動や衝撃によってグリッドワイヤ３が突起１５から外れないようにする、また接触面積を大きくして摩擦抵抗を大きくする観点から、図６に示すようなグリッドワイヤ３を巻きつける部分に溝部１７を形成したものが望ましい。
【００２７】
また突起１５の形成位置としては、シールドケース１の上面開口１１からネジ穴１４までの間であれば特に限定はない。ただし、グリッドホルダ１２ａの表面から突起１５が突き出ていると、他の部材との接触などで折れるおそれがあるので、前述の実施形態のようなグリッドホルダ１２ａの側部に形成した切欠部１６の内部に形成するのが好ましい。
【００２８】
もちろん、図８に示したように、グリッドワイヤ３を突起１５に巻き付けることなくネジ４で固定しても構わない。また、グリッドワイヤ３の終端の固定方法はネジ固定の他、従来公知の方法を用いることができる。例えば、グリッドホルダに形成された孔に、グリッドワイヤの端部をピンと共に押入する方法であってもよい。
【００２９】
次に、図４（ｄ）に示すように、シールドケース１の側壁１０ａ，１０ｂを元の状態に戻す。図５に示す治具５を用いて側壁１０ａ，１０ｂを押し広げた場合には、治具５をシールドケース１から引き抜くことによってシールドケース１の側壁１０ａ，１０ｂはその弾性によって元の状態に戻る。側壁１０ａ，１０ｂが撓んだ状態から直線状態となることによって、シールドケース１の長手方向の長さが長くなる。これによって、シールドケース１の上面開口１１に張架されたグリッドワイヤ３にさらに張力が加わり、グリッドワイヤ３の弛みは確実に防止されるようになる。
【００３０】
本発明で使用するシールドケース１の材質としては、可撓性を有するものであれば特に限定はなく、例えばステンレス鋼などが好適に使用できる。
【００３１】
また本発明で使用するグリッドワイヤ３の材質についても特に限定はないが、放電ワイヤからのコロナ放電によって腐食されにくいものが好ましく、例えばステンレス鋼が例示される。グリッドワイヤの直径としては例えば３０〜３５０μｍの範囲が好ましい。またグリッドワイヤ３をシールドケース１の上面開口１１に張架するとき、隣接するグリッドワイヤ間の距離は０．５〜１．５ｍｍの範囲が好ましい。前記距離が１．５ｍｍを超えると帯電制御が難しくなり、０．５ｍｍより狭いとグリッドワイヤの取り付け作業が難しくなる。シールドケース１の上面開口１１に張架するグリッドワイヤ３の本数は、帯電させる感光体の大きさを考慮しながら上記条件を満足するように適宜決定すればよい。他方、本発明で使用する放電ワイヤとしては、例えばタングステン線に金メッキしたものが例示される。
【図面の簡単な説明】
【００３２】
【図１】帯電装置を用いた画像形成装置の一例を示す概説図である。
【図２】スコロトロン方式の帯電装置の一例を示す斜視図である。
【図３】グリッドホルダの拡大斜視図である。
【図４】本発明に係る取付方法の一例を示す工程図である。
【図５】治具による側壁の押し広げの説明図である。
【図６】グリッドワイヤを突起に巻き付けた状態の斜視図である。
【図７】従来のスコロトロン方式の帯電装置の一例を示す斜視図である。
【図８】図８の帯電装置の部分拡大斜視図である。
【符号の説明】
【００３３】
１    シールドケース
２    チャージャケース
３    グリッドワイヤ
４    ネジ（固定部）
５    治具
Ｃ    帯電装置
１０ａ，１０ｂ    側壁
１１    上面開口
１２ａ，１２ｂ    グリッドホルダ
１３    ピン（ワイヤ掛け部）
１４    ネジ穴
１５    突起
１６    切欠部
１７    溝部
２１    放電ワイヤ
５１    基台
５２    押入部
【図１】
2007148050.tif 000003
【図２】
2007148050.tif 000004
【図３】
2007148050.tif 000005
【図４】
2007148050.tif 000006
【図５】
2007148050.tif 000007
【図６】
2007148050.tif 000008
【図７】
2007148050.tif 000009
【図８】
2007148050.tif 000010